(57)【要約】【課題】栄養剤または薬剤を、胃内に確実に投与することができる安全性の高い医療用チューブを提供すること。【解決手段】栄養チューブ１は、患者の鼻から食道を経由して胃内に挿入され、栄養剤を投与するのに用いられるチューブであって、先端部の壁部を貫通する貫通孔２１を有するチューブ本体２と、貫通孔２１を開閉するシャッター部材３とを有している。このシャッター部材３は、接触する液体の性質によって体積が変化するゲルポリマーで構成された２つのリング状部材３１、３２からなる。このような栄養チューブ１は、各リング状部材３１、３２が膨張して閉状態にあるときに挿入される。そして、先端部が胃内に到達すると、各リング状部材３１、３２が胃液と接触して収縮し、貫通孔２１が自動的に開く。これにより、栄養剤が気管に投与されてしまうのを防止しつつ、胃内に確実に投与するための栄養剤投与ルートが形成される。【選択図】図３
2009207514.tif 000002
【特許請求の範囲】
【請求項１】
経口または経鼻により、胃内に栄養剤または薬剤を投与する医療用チューブであって、
壁部を貫通する貫通孔を有するチューブと、前記貫通孔を開閉する開閉手段とを備え、
前記開閉手段は、胃液との接触により体積が減少するゲルポリマーで構成され、胃液との接触により前記貫通孔を開状態とするシャッター部材を有することを特徴とする医療用チューブ。
【請求項２】
前記貫通孔は、前記チューブの先端部に設けられた側孔であり、
前記シャッター部材は、前記貫通孔近傍の前記チューブを覆うよう設けられたリング状のものである請求項１に記載の医療用チューブ。
【請求項３】
前記シャッター部材は、前記貫通孔の先端側と基端側とにそれぞれ設けられている請求項２に記載の医療用チューブ。
【請求項４】
前記リング状をなすシャッター部材は、前記貫通孔に対応する窓部を有するものである請求項２に記載の医療用チューブ。
【請求項５】
前記シャッター部材の前記貫通孔と反対側の端部付近は、前記チューブに対して固定されている請求項１ないし４のいずれかに記載の医療用チューブ。
【請求項６】
前記ゲルポリマーは、その分子構造の一部にアニオン性基を有するものである請求項１ないし５のいずれかに記載の医療用チューブ。
【請求項７】
前記ゲルポリマーは、前記アニオン性基を脱プロトン化する液体との接触により体積が増加し、前記貫通孔を塞ぐことによって、閉状態になるものである請求項１ないし６のいずれかに記載の医療用チューブ。
【請求項８】
前記アニオン性基を脱プロトン化する液体として、中性緩衝液を用いる請求項７に記載の医療用チューブ。
【請求項９】
前記ゲルポリマーは、モノマー成分として、アクリル酸、メタクリル酸およびこれらの誘導体から選択される少なくとも１種を含むものである請求項１ないし８のいずれかに記載の医療用チューブ。
【請求項１０】
前記ゲルポリマーは、架橋剤として、エチレン性不飽和化合物を含むものである請求項１ないし９のいずれかに記載の医療用チューブ。
【発明の詳細な説明】
【技術分野】
【０００１】
本発明は、経口または経鼻により、胃内に栄養剤または薬剤を投与する際に用いる医療用チューブに関する。
【背景技術】
【０００２】
経口摂取が困難・不能な患者に対する経管栄養法として、持続的経鼻経管栄養法が主流となっており、広く用いられている。経鼻胃管栄養法は、柔軟な樹脂製のチューブを経鼻的に咽頭、食道を経由して胃内まで挿入し、そのチューブを栄養投与ルートとして栄養剤を投与する方法である。
この方法では、施術者は、チューブの先端部を確実に食道に挿通しなければならない。
【０００３】
しかしながら、チューブの挿通作業はブラインドで行われるため、チューブの先端部が誤って気管に挿入される場合がある。誤挿入に気づかないで気管内に栄養剤が投与されると、呼吸障害等の悪影響を引き起こすおそれがある。
【０００４】
上記のような課題に対し、従来では、体内に挿入したチューブで胃内容物を吸引し、内容物のｐＨを測定する方法、チューブを介して胃内に空気を注入し、気泡音を聴診器で確認する方法、チューブを介して排出される炭酸ガスの濃度を測定する方法等により、チューブの挿入個所を確認する必要があり、多大な手間を必要とする。
【０００５】
【特許文献１】特開平９−９９０４１号公報
【発明の開示】
【発明が解決しようとする課題】
【０００６】
本発明の目的は、栄養剤または薬剤を、胃内に確実に投与することができる安全性の高い医療用チューブを提供することにある。
【課題を解決するための手段】
【０００７】
このような目的は、下記（１）〜（１０）の本発明により達成される。
（１）  経口または経鼻により、胃内に栄養剤または薬剤を投与する医療用チューブであって、
壁部を貫通する貫通孔を有するチューブと、前記貫通孔を開閉する開閉手段とを備え、
前記開閉手段は、胃液との接触により体積が減少するゲルポリマーで構成され、胃液との接触により前記貫通孔を開状態とするシャッター部材を有することを特徴とする医療用チューブ。
【０００８】
（２）  前記貫通孔は、前記チューブの先端部に設けられた側孔であり、
前記シャッター部材は、前記貫通孔近傍の前記チューブを覆うよう設けられたリング状のものである上記（１）に記載の医療用チューブ。
【０００９】
（３）  前記シャッター部材は、前記貫通孔の先端側と基端側とにそれぞれ設けられている上記（２）に記載の医療用チューブ。
【００１０】
（４）  前記リング状をなすシャッター部材は、前記貫通孔に対応する窓部を有するものである上記（２）に記載の医療用チューブ。
【００１１】
（５）  前記シャッター部材の前記貫通孔と反対側の端部付近は、前記チューブに対して固定されている上記（１）ないし（４）のいずれかに記載の医療用チューブ。
【００１２】
（６）  前記ゲルポリマーは、その分子構造の一部にアニオン性基を有するものである上記（１）ないし（５）のいずれかに記載の医療用チューブ。
【００１３】
（７）  前記ゲルポリマーは、前記アニオン性基を脱プロトン化する液体との接触により体積が増加し、前記貫通孔を塞ぐことによって、閉状態になるものである上記（１）ないし（６）のいずれかに記載の医療用チューブ。
【００１４】
（８）  前記アニオン性基を脱プロトン化する液体として、中性緩衝液を用いる上記（７）に記載の医療用チューブ。
【００１５】
（９）  前記ゲルポリマーは、モノマー成分として、アクリル酸、メタクリル酸およびこれらの誘導体から選択される少なくとも１種を含むものである上記（１）ないし（８）のいずれかに記載の医療用チューブ。
【００１６】
（１０）  前記ゲルポリマーは、架橋剤として、エチレン性不飽和化合物を含むものである上記（１）ないし（９）のいずれかに記載の医療用チューブ。
【発明の効果】
【００１７】
本発明によれば、栄養チューブの先端部に設けられた栄養剤（または薬剤）を投与する孔部が、胃液との接触によって開状態をとるシャッター部材で開閉されるので、栄養剤を胃内に確実に投与することができる。すなわち、栄養チューブが誤って気管に挿入されたとしても、シャッター部材が閉状態を維持することができるので、栄養剤が気管内に投与されるのを防止することができる。その結果、患者に対して安全に栄養剤を投与することができる。
【発明を実施するための最良の形態】
【００１８】
以下、本発明の医療用チューブを添付図面に示す好適な実施形態に基づいて詳細に説明する。
【００１９】
＜第１実施形態＞
まず、本発明の医療用チューブの第１実施形態について説明する。
【００２０】
図１は、本発明の医療用チューブの第１実施形態を示す斜視図、図２〜４は、図１に示す医療用チューブの使用状態を説明するための図である。なお、説明の都合上、図１中の右側および図２中の上側を「基端」、図１中の左側および図２中の下側を「先端」という。また、図１〜３中では、見易くするため、医療用チューブの長さ方向を短縮し、医療用チューブの太さ方向を誇張して模式的に図示したものであり、長さ方向と太さ方向の比率は実際とは大きく異なる。
【００２１】
図１に示す栄養チューブ１（本発明の医療用チューブ）は、患者の口または鼻から食道を経由して胃内に挿入され、栄養剤（または薬剤）を投与するのに用いられるチューブであって、先端部にチューブの壁部を貫通する貫通孔２１を有するチューブ本体２と、貫通孔２１を開閉するシャッター部材３（開閉手段）とを有している。
【００２２】
このような栄養チューブ１は、先端部を患者の胃内に留置した状態で、患者の体外から胃内に栄養剤を供給するための栄養剤投与ルートを形成する。このとき、栄養剤は、チューブ本体２の基端側から供給され、栄養剤投与ルートを介して貫通孔２１から胃内に投与される。本発明の医療用チューブは、シャッター部材３が胃液に接触したときに自動的に開状態となり、栄養剤の投与を可能にするものである。したがって、栄養チューブ１が気管に挿入されたり、体外にあるときは、シャッター部材３が閉状態となり、栄養剤を投与することができなくなっている。
【００２３】
以下、栄養チューブ１の各部の構成について詳述する。
図１に示すチューブ本体２は、可撓性を有する長尺状の管体であり、先端の端面は蓋体２２によって塞がれている。
【００２４】
また、貫通孔２１は、チューブ本体２の先端部の側壁を貫通する側孔である。図１に示すチューブ本体２では、貫通孔２１が１つ設けられているが、２つ以上設けられていてもよい。
【００２５】
チューブ本体２の構成材料としては、例えば、ポリエチレン、ポリプロピレンのようなポリオレフィン、ポリ塩化ビニル、ポリ塩化ビニリデン、ポリウレタン、シリコーンゴム、ポリフッ化ビニリデン、ハロゲン化ポリオレフィン、ポリエチレンテレフタレート、ポリブチレンテレフタレート、ポリカーボネート等が挙げられる。
【００２６】
また、チューブ本体２の表面には、必要に応じて、被覆層を有していてもよい。この被覆層の構成材料としては、例えば、フッ素系樹脂等が挙げられる。
【００２７】
蓋体２２は、チューブ本体２の先端面を閉塞するための栓であり、基端側はチューブ本体２の外径と同程度の外径であり、先端方向に向かって外径が漸減する略円錐状をなしている。このような蓋体２２により、栄養チューブ１は、体腔内において容易かつスムーズな挿入が可能になる。
【００２８】
図１に示すシャッター部材３は、２つのリング状部材３１、３２で構成されている。これらのリング状部材３１、３２は、リング内側にチューブ本体２が挿通された状態で、貫通孔２１を介して対向配置されている。すなわち、リング状部材３１は、チューブ本体２の外周面を覆うように、貫通孔２１の先端側に隣接して設けられており、一方、リング状部材３２は、貫通孔２１を介してリング状部材３１と反対側（貫通孔２１の基端側）に隣接して設けられている。
【００２９】
このようなリング状部材３１、３２は、それぞれ、液体との接触により体積が変化する性質を有するものである。
【００３０】
すなわち、これらのリング状部材３１、３２を構成するゲルポリマーは、ゲル化する前の乾燥状態では、ゲル状態をなしていないが、内部に液体を取り込むことによって膨張（膨潤）し、ゲル化する性質を有するものである。また、このようにして膨張したゲルポリマーは、所定の性質の液体と接触することにより、取り込んだ液体を放出して収縮する性質をも有するものである。
【００３１】
すなわち、このゲルポリマーは、接触する液体の性質により、膨張・収縮を選択可能なものである。このようなゲルポリマーは、一般に「環境感受性ゲルポリマー」と称される。
【００３２】
以上のようなことから、シャッター部材３は、接触する液体の性質によって、各リング状部材３１、３２が膨張し、貫通孔２１を閉塞したり（閉状態となったり）、この閉状態から各リング状部材３１、３２が収縮すると、貫通孔２１の閉塞が解除され、開状態となったりする。したがって、シャッター部材３が閉状態にあるとき、患者の体外と胃内とを繋ぐ栄養剤投与ルートは不通であり、栄養剤を投与することができない。一方、シャッター部材３が開状態にあるとき、栄養剤投与ルートが通じ、栄養剤を胃内に投与することができる。なお、図１は、開状態にある栄養チューブ１を示すものである。
【００３３】
環境感受性ゲルポリマーは、主に、環境感受性のモノマー成分またはプレポリマー成分を重合・架橋してなる架橋体であり、三次元網目構造を有するポリマーで構成される。
【００３４】
このような環境感受性ゲルポリマーは、分子鎖の隙間に空孔を有している。この空孔は、分子鎖間の結合力に応じて拡大・縮小するが、この分子鎖間の結合力は、ゲルポリマーが存在する環境に応じて変化する。このような性質により、環境感受性ゲルポリマーは、環境の変化に応じて、空孔内に液体を取り込んだり、取り込んだ液体を排出したりすることができる。
【００３５】
環境感受性ゲルポリマーのモノマー成分またはプレポリマー成分としては、例えば、アクリル酸、メタクリル酸、またはこれらの誘導体、スチレンスルホン酸、ビニルスルホン酸、ビニルリン酸等が挙げられ、これらのうちの１種または２種以上の混合物を用いることができる。
【００３６】
このうち、アクリル酸、メタクリル酸、またはこれらの誘導体が特に好ましく用いられる。アクリル酸、メタクリル酸、またはこれらの誘導体は、環境感受性のモノマー成分（プレポリマー成分）であり、これらを含むゲルポリマーは、後述するイオン性官能基を有するものとなるため、より環境感受性の高いものとなる。
【００３７】
また、環境感受性ゲルポリマーのモノマー成分またはプレポリマー成分は、上記のほかに、２−ヒドロキシエチルアクリラート、２−ヒドロキシエチルメタクリラート、アクリルアミドやメタクリルアミド、またはこれらの誘導体のようなエチレン性不飽和モノマーを含むのが好ましい。
【００３８】
このうち、アクリルアミドが特に好ましく用いられる。アクリルアミドを含むことにより、ゲルポリマーの機械的特性を高めることができる。
【００３９】
また、モノマー成分またはプレポリマー成分は、その分子構造の一部にイオン性官能基を有する。これにより、環境感受性ゲルポリマーは、接触する液体の組成や含まれるイオンの濃度等に応じて、選択的に膨張率・収縮率が高くなる。このため、シャッター部材３の開閉をより確実に調整することができる。また、環境感受性ゲルポリマーの親水性が高くなるため、より多くの液体を積極的に吸収し、膨張し得るものとなる。
【００４０】
このイオン性官能基は、アニオン性基であり、このようなイオン性官能基を含む環境感受性ゲルポリマーは、脱プロトン化することにより膨張する。また、膨張した環境感受性ゲルポリマーは、プロトン化することにより収縮する。したがって、アニオン性基を含む環境感受性ゲルポリマーは、脱プロトン化作用を示す液体に接触することにより膨張し、その後、プロトン化作用を示す液体に接触することにより収縮する。
【００４１】
アニオン性基としては、例えば、カルボン酸基、メルカプト基、リン酸基、スルホン酸基等が挙げられる。
【００４２】
なお、各リング状部材３１、３２の非膨張時の厚さ（チューブ本体２の径方向に平行な厚さ）および長さ（チューブ本体２に長手方向に並行な長さ）は、貫通孔２１の口径に応じて、適宜選択されるが、膨張が飽和した状態（最も膨張した状態）で２つのリング状部材３１、３２が貫通孔２１を塞ぎ得るような厚さであるのが好ましい。各リング状部材３１、３２の厚さをこのように設定することにより、シャッター部材３の開閉を確実に行うことができる。
【００４３】
具体的には、各リング状部材３１、３２の非膨張時の平均厚さは、１０μｍ〜１ｍｍ程度であるのが好ましく、２０〜５００μｍ程度であるのがより好ましい。
【００４４】
また、各リング状部材３１、３２の非膨張時の長さは、３〜２０ｍｍ程度であるのが好ましく、５〜１５ｍｍ程度であるのがより好ましい。
【００４５】
また、チューブ本体２の表面の、リング状部材３１の先端部付近と、リング状部材３２の基端部付近には、それぞれ、各リング状部材３１、３２の厚さより高さが低い凸条２３が設けられている。凸条２３は、リング状をなしており、この凸条２３に覆いかぶさるように、各リング状部材３１、３２が設けられている。これにより、各リング状部材３１、３２は、凸条２３に引っ掛かることによって、チューブ本体２に固定されることとなる。その結果、各リング状部材３１、３２が膨張する際に、凸条２３に引っ掛かっている部分は、膨張が抑制されることとなり、その反対側の部分の膨張が促進されることとなる。すなわち、リング状部材３１の基端側の膨張とリング状部材３２の先端側の膨張がそれぞれ促進されることとなり、貫通孔２１の開閉をより効率よく行うことができる。
【００４６】
なお、凸条２３は、各リング状部材３１、３２をチューブ本体２の表面に固定し得るものであればよく、その形状は特に限定されない。例えば、凸条２３に換えて、接着剤を用いて各リング状部材３１、３２をチューブ本体２の表面に固定するようにしてもよい。
【００４７】
次に、上記のような栄養チューブ１の使用方法（作用）について説明する。
経鼻胃管栄養法では、チューブを鼻から挿入し、先端部を患者の胃内に留置する。
【００４８】
この操作に先立って、栄養チューブ１において、各リング状部材３１、３２を膨張させてシャッター部材３を閉状態とする。これにより、栄養剤投与ルートが不通となる。
【００４９】
シャッター部材３を閉状態にするには、まず、図２（ａ）に示す栄養チューブ１を用意し、次に、シャッター部材３を高ｐＨの液体Ｌに浸漬する（図２（ｂ）参照）。これにより、ゲルポリマーが高ｐＨの液体Ｌに接触する。ここで、高ｐＨの液体Ｌは、患者の胃液より相対的にｐＨが大きい液体であればよいが、好ましくはｐＨ７〜１１程度、より好ましくはｐＨ７〜１０程度とされる。このような高ｐＨの液体Ｌは、脱プロトン化作用が胃液より強いため、ゲルポリマー中のアニオン性基を速やかに脱プロトン化する。これにより、各リング状部材３１、３２は速やかに膨張し、シャッター部材３は閉状態となる。
【００５０】
このような高ｐＨの液体Ｌには、ｐＨを調整した緩衝液が好適であり、ｐＨ７前後の中性緩衝液が特に好適に用いられる。中性緩衝液は生体安全性が高いため、仮に、膨張したシャッター部材３が胃内で収縮する際に、シャッター部材３中に取り込まれた中性緩衝液が胃内に拡散したとしても、胃内の生体安全性を確保することができる。
【００５１】
次に、図３に示すように、シャッター部材３が閉状態にある栄養チューブ１を、患者の鼻から挿入し、先端部を胃内に留置する。すると、シャッター部材３が胃液に接触する。胃液は、通常ｐＨ１〜３程度と強酸性液体であるため、シャッター部材３は速やかにプロトン化される。その結果、各リング状部材３１、３２は収縮し、シャッター部材３が開状態となる。これにより、栄養剤投与ルートが開通する。
【００５２】
栄養剤投与ルートが開通すると、基端側から栄養チューブ１内に栄養剤を供給することによって、図３中の矢印で示すように、栄養剤投与ルートを介して栄養剤が貫通孔２１から胃内へと投与される。
【００５３】
なお、栄養チューブ１は、通常、図４に実線で示すように、鼻腔、咽頭を経て食道に挿入されるが、万が一、図４に破線で示すように、患者の気管に挿入されたとしても、シャッター部材３は閉状態を維持することができる。これは、気管内または肺内に存在する液体は通常中性であるため、この液体にシャッター部材３が接触したとしても、各リング状部材３１、３２が収縮することはないからである。すなわち、栄養チューブ１は、気管内または肺内においてシャッター部材３が閉状態に維持され、栄養剤投与ルートを不通の状態で維持される。したがって、栄養チューブ１によれば、気管内または肺内への栄養剤の誤投与を確実に防止することができる。
【００５４】
以上のようにして、患者の気管内に栄養剤が投与されるのを防止しつつ、胃内に確実に栄養剤を投与することができる。
【００５５】
次に、栄養チューブ１の作製方法について説明する。
［１］まず、シャッター部材３を形成するための原材料を準備する。
【００５６】
ゲルポリマーの原料となるモノマー成分（プレポリマー成分）、架橋剤、重合開始剤および溶媒を用意する。そして、これらを混合し、溶液を調製する。これにより、モノマー成分が重合するとともに立体的に架橋し、三次元網目構造を形成してなるゲルポリマーが得られる。
【００５７】
なお、全モノマー成分中の環境感受性モノマー成分の含有率は、１０〜５０質量％程度であるのが好ましく、１０〜３０質量％程度であるのがより好ましい。
【００５８】
また、溶液中のモノマー成分の含有率は、特に限定されないが、好ましくは２０〜３０質量％程度とされる。
【００５９】
架橋剤としては、例えば、Ｎ，Ｎ’−メチレンビスアクリルアミド、エチレングリコールジ（メタ）アクリレート、ジエチレングリコールジ（メタ）アクリレート、トリエチレングリコールジ（メタ）アクリレート、ポリエチレングリコールジ（メタ）アクリレート、トリメチロールプロパントリ（メタ）アクリレート、ペンタエリスリトールトリ（メタ）アクリレート、ジビニルベンゼン、ジビニルエーテルのようなエチレン性不飽和化合物等が挙げられる。エチレン性不飽和化合物は、モノマー成分とともに三次元網目構造を確実に形成し得る架橋剤として機能するため、シャッター部材３を形成するための架橋剤として特に好適なものである。
このうち、Ｎ，Ｎ’−メチレンビスアクリルアミドがより好ましく用いられる。
【００６０】
溶液中の架橋剤の含有率は、特に限定されないが、好ましくは１質量％未満、より好ましくは０．１質量％未満とされる。
【００６１】
また、重合開始剤としては、例えば、過硫酸アンモニウム、Ｎ，Ｎ，Ｎ’，Ｎ’−テトラメチルエチレンジアミン等が挙げられる。
また、溶媒には、例えば、水、エタノール等を用いることができる。
【００６２】
さらに、必要に応じて、溶液中に造孔剤を含んでいてもよい。これにより、シャッター部材３として、多孔質状のものが得られる。このような多孔質状のシャッター部材３は、表面積が大きいため、液体の吸収速度が高くなり、膨張速度の高いものとなる。
【００６３】
造孔剤としては、例えば、塩化ナトリウム、塩化カリウム、氷、スクロース、重炭酸ナトリウム等が挙げられる。
【００６４】
また、造孔剤の平均粒径は、好ましくは１〜２５μｍ程度、より好ましくは３〜１０μｍ程度とされる。
【００６５】
さらに、溶液中の造孔剤の含有率は、５〜５０質量％程度であるのが好ましく、１０〜２０質量％程度であるのがより好ましい。
【００６６】
また、必要に応じて、溶液中にＸ線不透過材料で構成された粒子を含んでいてもよい。これにより、シャッター部材３にＸ線造影性が得られ、Ｘ線透視下で栄養チューブ１の先端部の位置を容易に確認することができる。
【００６７】
［２］次いで、得られた溶液を、チューブ本体２の表面の、シャッター部材３を形成すべき個所に塗布する。これにより、チューブ本体２の表面にゲルポリマーの層が形成される。
【００６８】
溶液の塗布方法としては、例えば、浸漬法、刷毛塗り法、ディスペンサ法等が挙げられる。
【００６９】
［３］次いで、得られたゲルポリマーの層を、洗浄液で洗浄する。これにより、未反応の残留モノマー成分、造孔剤等を除去する。
【００７０】
以上のように、チューブ本体２の表面にシャッター部材３を形成し、栄養チューブ１を作製することができる。
【００７１】
＜第２実施形態＞
図５は、本発明の医療用チューブの第２実施形態を示す斜視図である。なお、説明の都合上、図５中の右側を「基端」、左側を「先端」という。また、図５中では、見易くするため、医療用チューブの長さ方向を短縮し、医療用チューブの太さ方向を誇張して模式的に図示したものであり、長さ方向と太さ方向の比率は実際とは大きく異なる。
【００７２】
以下、この図を参照して本発明の医療用チューブの第２実施形態について説明するが、前述した実施形態との相違点を中心に説明し、同様の事項はその説明を省略する。
【００７３】
本実施形態は、開状態にある（収縮した）シャッター部材３が、貫通孔２１に対応する窓部を有するリング状部材であること以外は前記第１実施形態と同様である。
【００７４】
すなわち、図５に示す栄養チューブ１は、先端部にチューブ内外を貫通する貫通孔２１を有するチューブ本体２と、貫通孔２１を開閉するシャッター部材３とを有している。
【００７５】
図５に示すシャッター部材３は、チューブ本体２の表面のうち、長手方向で貫通孔２１と同じ位置に設けられている。また、シャッター部材３は、開状態にあるとき、貫通孔２１と同様の大きさの窓部３３が形成されたリング状をなしており、貫通孔２１の開口と窓部３３とが重なるように設けられている。
【００７６】
シャッター部材３が開状態にあるとき、図５（ａ）に示すように、貫通孔２１と窓部３３とが連通し、栄養剤投与ルートが開通する。
【００７７】
一方、シャッター部材３を構成するゲルポリマーが膨張すると、窓部３３が塞がり、図５（ｂ）に示すように、シャッター部材３が閉状態となる。その結果、貫通孔２１が閉塞され、栄養剤投与ルートが不通となる。
【００７８】
以上のような第２実施形態においても、前記第１実施形態と同様の作用・効果が得られる。
【００７９】
また、図５に示すシャッター部材３は、貫通孔２１を取り囲むようにゲルポリマーが配置されているため、より短時間で貫通孔２１を開閉することができる。
【００８０】
なお、窓部３３の形状は、特に限定されず、例えば、窓部３３が長手方向に拡張されることによって、シャッター部材３が、一部が欠損したリング状をなすものになってもよい。
【００８１】
以上、本発明の医療用チューブを図示の実施形態について説明したが、本発明は、これらに限定されるものではなく、医療用チューブを構成する各部は、同様の機能を発揮し得る任意の構成のものと置換することができる。また、任意の構成物が付加されていてもよい。
【００８２】
例えば、前記各実施形態では、貫通孔２１がチューブ本体２の側壁に形成されているが、貫通孔２１は、チューブ本体２の先端面にあってもよい。
【００８３】
また、本発明の医療用チューブは、前記各実施形態の構成を組み合わせたものであってもよい。
【図面の簡単な説明】
【００８４】
【図１】本発明の医療用チューブの第１実施形態を示す斜視図である。
【図２】図１に示す医療用チューブの使用状態を説明するための図である。
【図３】図１に示す医療用チューブの使用状態を説明するための図である。
【図４】図１に示す医療用チューブの使用状態を説明するための図である。
【図５】本発明の医療用チューブの第２実施形態を示す斜視図である。
【符号の説明】
【００８５】
１          医療用チューブ
２          チューブ本体
２１        貫通孔
２２        蓋体
２３        凸条
３          シャッター部材
３１、３２  リング状部材
３３        窓部
Ｌ          高ｐＨの液体
【図１】
2009207514.tif 000003
【図２】
2009207514.tif 000004
【図３】
2009207514.tif 000005
【図４】
2009207514.tif 000006
【図５】
2009207514.tif 000007